Podtech/llm-jp-corpus-v4-ja_patent huggingface dataset:
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
順番に、配列番号：１のヌクレオチド１−１６０を含む、または配列番号：１と約８０％から１００％の配列同一性を含むヌクレオチド配列を含むＣＰＭＶ  ５’ＵＴＲヌクレオチド配列、ならびに不完全なＭタンパク質をコードするヌクレオチド配列およびヌクレオチド配列（Ａ／−）Ａ（Ａ／Ｇ）（Ａ／Ｇ）（Ａ／Ｃ）Ａを含み、かつ植物において活性な１つ以上のコザック配列を含むスタッファーフラグメントを含む、発現エンハンサー。
【請求項２】
スタッファーフラグメントが５０から約５００のヌクレオチド長、またはそれらの間の任意の長さを含む、請求項１に記載の発現エンハンサー。
【請求項３】
スタッファーフラグメントが、マルチプルクローニングサイトをさらに含む、請求項２に記載の発現エンハンサー。
【請求項４】
コザック配列が、下記の配列の群から選択される、請求項１に記載の発現エンハンサー：ｃａＡ（Ａ／Ｃ）ａ
ａａＡ（Ａ／Ｃ）ａ
ａａ（Ａ／Ｇ）（Ａ／Ｃ）ａ
ＡＧＡＡＡ 
ＡＧＡＣＡ 
ＡＧＧＡＡ 
ＡＡＡＡＡ 
ＡＡＡＣＡ 
ＡＡＧＣＡ 
ＡＡＧＡＡ 
ＡＡＡＧＡＡ 
ＡＡＡＧＡＡ。
【請求項５】
不完全なＭタンパク質をコードするヌクレオチド配列が、約５０から約３５１のヌクレオチド長、またはそれらの間の任意の長さを含む、請求項１に記載の発現エンハンサー。
【請求項６】
不完全なＭタンパク質をコードするヌクレオチド配列が、３４９または３５１ヌクレオチド長のいずれかである、請求項５に記載の発現エンハンサー。
【請求項７】
配列番号：１のヌクレオチド１−１６０を含む配列が、配列番号：１、３、４または５６の群から選択される、請求項１に記載の発現エンハンサー。
【請求項８】
請求項１に記載の発現エンハンサーおよび目的のヌクレオチド配列と作動可能に連結される制御領域を含む核酸配列を含む、植物発現系。
【請求項９】
コモウイルス３’ＵＴＲをさらに含む、請求項８に記載の植物発現系。
【請求項１０】
サイレンシングのサプレッサーをコードする第二の核酸配列をさらに含む、請求項９に記載の植物発現系。
【請求項１１】
サイレンシングのサプレッサーが、ＨｃＰｒｏおよびｐ１９の群から選択される、請求項１０に記載の植物発現系。
【請求項１２】
制御領域が、プラストシアニンプロモーター、ＣａＭＶ  ３５Ｓプロモーター、２ｘ  ＣａＭＶ３５Ｓプロモーター、ＣＡＳプロモーター、ＲｂｃＳプロモーター、Ｕｂｉプロモーター、またはアクチンプロモーターから選択される、請求項８に記載の植物発現系。
【請求項１３】
目的のヌクレオチド配列が、ウイルスタンパク質または抗体をコードする、請求項８に記載の植物発現系。
【請求項１４】
ウイルスタンパク質が、Ｈ１、Ｈ２、Ｈ３、Ｈ４、Ｈ５、Ｈ６、Ｈ７、Ｈ８、Ｈ９、Ｈ１０、Ｈ１１、Ｈ１２、Ｈ１３、Ｈ１４、Ｈ１５、Ｈ１６、およびインフルエンザＢ型ヘマグルチニンからなる群から選択されるインフルエンザヘマグルチニンである、請求項１３に記載の植物発現系。
【請求項１５】
ウイルスタンパク質または抗体をコードするヌクレオチド配列が、天然シグナルペプチド配列、または非天然シグナルペプチドを含む、請求項１４に記載の植物発現系。
【請求項１６】
非天然シグナルペプチドが、タンパク質ジスルフィドイソメラーゼ（ＰＤＩ）由来である、請求項１５に記載の植物発現系。
【請求項１７】
請求項８に記載の植物発現系を植物または植物の部分に導入すること、および目的のタンパク質をコードするヌクレオチド配列の発現を可能にする条件下で、植物もしくは植物の部分をインキュベートすることを含む、植物または植物の部分において目的のタンパク質を生産する方法。
【請求項１８】
請求項８に記載の植物発現系を用いて一過性に遺伝子導入されている、または安定的に形質転換されている、植物または植物の部分。
【請求項１９】
目的のヌクレオチド配列に作動可能に連結される、請求項１に記載の発現エンハンサーを含む核酸。
【請求項２０】
目的のヌクレオチド配列が、Ｂ  ＨＡ、Ｃ、Ｈ１、Ｈ２、Ｈ３、Ｈ４、Ｈ５、Ｈ６、Ｈ７、Ｈ８、Ｈ９、Ｈ１０、Ｈ１１、Ｈ１２、Ｈ１３、Ｈ１４、Ｈ１５、およびＨ１６から選択されるインフルエンザヘマグルチニン（ＨＡ）である、請求項１９に記載の核酸。
【請求項２１】
ＨＡが、ＨＡの天然膜貫通ドメインが、異種の膜貫通ドメインと置き換わっているキメラＨＡである、請求項２０に記載の核酸。
【請求項２２】
異種の膜貫通ドメインが、Ｈ１  Ｃａｌｉｆｏｒｎｉａから得られる、請求項２１に記載の核酸。
【請求項２３】
不完全なＭタンパク質をコードするヌクレオチド配列が、配列番号：１−４のヌクレオチド１６１から５０９、配列番号：５５のヌクレオチド１６１−５１１、または配列番号：５６のヌクレオチド１６１−５１１を含み、または配列番号：１−４のヌクレオチド１６１から５０９、配列番号：５５のヌクレオチド１６１−５１１、または配列番号：５６のヌクレオチド１６１−５１１由来の配列と約８０％から１００％の配列同一性を含むヌクレオチド配列を含み、前記配列は開始コドンを含まない、請求項１に記載の発現エンハンサー。
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
キメラ抗原受容体の発現誘導システムであって、
ａ）タモキシフェンおよび／またはその代謝産物によって誘導可能な第１のプロモーターを含む第１の核酸、ならびに
ｂ）前記誘導可能な第１のプロモーターの転写を活性化する転写活性化因子（たとえば配列番号４０の配列を含む転写活性化因子など）をコードする核酸に作動可能に連結された第２のプロモーター（たとえば構成的プロモーターまたはＥＦ１αｐなど）を含む第２の核酸を含み、
前記第１のプロモーターが配列番号４１の核酸配列を含むこと、
前記第１の核酸が、サイトカイン、ケモカイン受容体、アポトーシスを制御するポリペプチド、またはチェックポイントシグナル伝達を調節するポリペプチドをコードする導入遺伝子をコードするポリヌクレオチドに作動可能に連結されていること、
前記第２の核酸が、リガンドに特異的なリガンド結合ドメインを含むキメラ抗原受容体をコードするポリヌクレオチド、最適化されたポリペプチドスペーサーをコードするポリヌクレオチド、膜貫通ドメインをコードするポリヌクレオチド、および細胞内シグナル伝達ドメインをコードするポリヌクレオチドをさらに含むこと、ならびに
前記リガンドが、腫瘍に特異的な分子、ウイルス分子、または標的細胞集団に発現されているその他の分子であり、リンパ球による認識、調節、抑制および／または排除を誘導可能であること
を特徴とするシステム。
【請求項２】
前記第１の核酸が第１のベクターをさらに含み、前記第２の核酸が第２のベクターをさらに含む、請求項１に記載のシステム。
【請求項３】
前記第１のベクターと前記第２のベクターとが、レンチウイルスなどの単一のウイルスベクターにパッケージされている、請求項２に記載のシステム。
【請求項４】
前記第１の核酸または前記第２の核酸が、選択マーカーをコードする核酸配列をさらに含む、請求項１〜３のいずれか一項に記載のシステム。
【請求項５】
前記第１のプロモーターが、前記第２のプロモーターとは逆向きである、請求項１〜４のいずれか一項に記載のシステム。
【請求項６】
前記腫瘍に特異的な分子が、ＣＤ１９、ＣＤ２０、ＣＤ２２、ＣＤ２３、ＣＤ１２３、ＣＳ−１、ＲＯＲ１、ＣＥ７、ＥＧＦＲ、ｈＢ７Ｈ３、メソテリン（mesothelin）、ｃ−Ｍｅｔ、ＰＳＭＡ、Ｈｅｒ２、ＧＤ−２、ＭＡＧＥ Ａ３ ＴＣＲ、およびこれらの組み合わせからなる群から選択される、請求項１〜５のいずれか一項に記載のシステム。
【請求項７】
宿主細胞に組み込まれており、該宿主細胞が、ナイーブＣＤ８＋Ｔ細胞、セントラルメモリーＣＤ８＋Ｔ細胞、エフェクターメモリーＣＤ８＋Ｔ細胞およびバルクＣＤ８＋Ｔ細胞からなる群から選択される細胞傷害性ＣＤ８＋Ｔリンパ球、またはナイーブＣＤ４＋Ｔ細胞、セントラルメモリーＣＤ４＋Ｔ細胞、エフェクターメモリーＣＤ４＋Ｔ細胞およびバルクＣＤ４＋Ｔ細胞からなる群から選択されるＣＤ４＋Ｔヘルパーリンパ球である、請求項１〜６のいずれか一項に記載のシステム。
【請求項８】
宿主細胞に組み込まれており、該宿主細胞が、Ｔ細胞前駆細胞または造血幹細胞である、請求項１〜７のいずれか一項に記載のシステム。
【請求項９】
前記スペーサーの長さが、前記リガンドに応答したＴ細胞の増殖および／またはサイトカインの産生が対照のキメラ受容体よりも増強されるように最適化されている、請求項１〜８のいずれか一項に記載のシステム。
【請求項１０】
宿主細胞に組み込まれた、請求項１〜９のいずれか一項に記載のシステム。
【請求項１１】
前記導入遺伝子が、ＩＬ−２、ＩＬ−１５、ケモカイン受容体、Ｂｃｌ２、ＣＡ−Ａｋｔ、ｄｎ−ＴＧＦβ ＲIII、ｄｎ−ＳＨＰ１／２、ＰＤ−１−ＣＤ２８キメラ、ＶＩＳＴＡ、ＬＡＧ−３および／またはＴＩＭ３をコードする、請求項１〜１０のいずれか一項に記載のシステム。
【請求項１２】
宿主細胞に組み込まれている請求項１〜１１のいずれか一項に記載のシステムをインビトロにおいて製造する方法であって、
ａ）請求項１〜１１のいずれか一項に記載のシステムを提供すること、
ｂ）単離された個別のＴリンパ球集団に前記システムを導入し、各Ｔリンパ球集団をインビトロで増殖させること
を含み、さらに
抗ＣＤ３および／または抗ＣＤ２８と少なくとも１つの恒常性サイトカインの存在下において、移入細胞として使用するのに十分な数に達するまで前記Ｔリンパ球を培養すること
を含む方法。
【請求項１３】
がんまたはウイルス性感染症の治療において使用するための宿主細胞であって、
請求項１〜１１のいずれか一項に記載のシステムを含むこと、ならびに
該宿主細胞中の導入遺伝子の発現を誘導する薬物と組み合わせて提供され、該薬物がタモキシフェンまたはその代謝産物であることを特徴とする宿主細胞。
【請求項１４】
前記がんが、乳がん、脳がん、肺がん、大腸がん、腎臓がん、膵臓がん、前立腺がん、卵巣がんなどの固形腫瘍、または血液悪性腫瘍である、請求項１３に記載の宿主細胞。
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
ガン性細胞におけるアポトーシスを誘導するために使用するための化合物を含む治療組成物であって、化合物が、ＡｐｏＯ、その変異体又はフラグメント、それらの混合物及び前記ＡｐｏＯ、その変異体又はフラグメントをコードするベクターからなる群より選択される、治療組成物。
【請求項２】
ガン性細胞におけるアポトーシスを誘導することによってガンを処置するために使用するための化合物を含む治療組成物であって、化合物が、ＡｐｏＯ、その変異体又はフラグメント、それらの混合物及び前記ＡｐｏＯ、その変異体又はフラグメントをコードするベクターからなる群より選択される、治療組成物。
【請求項３】
前記ガン性細胞が、高含量のミトコンドリアを有する細胞、好ましくは、少なくとも３０体積％、好ましくは４０体積％のミトコンドリアを含む細胞である、請求項１又は２に記載の治療組成物。
【請求項４】
前記ガン性細胞が、心臓細胞、肝臓細胞、膀胱細胞、脳細胞、乳房細胞、結腸細胞、直腸細胞、子宮内膜細胞、腎細胞、血液細胞、表皮細胞、膵臓細胞、前立腺細胞及び甲状腺細胞からなる群より選択される、請求項１〜３のいずれか一項に記載の治療組成物。
【請求項５】
前記ガン性細胞が脳ガン細胞であり、前記脳ガンが、脊索腫、頭蓋咽頭腫、神経節細胞腫、神経節腫、未分化神経節膠腫、頸静脈小体、髄膜腫、松果体細胞腫、下垂体腺腫、神経鞘腫、神経膠腫、血管芽細胞腫及びラブドイド腫瘍を含む脳ガンから選択される、請求項４に記載の治療組成物。
【請求項６】
前記ガン性細胞が、星状細胞、上衣細胞及び希突起膠細胞からなる群より選択される、請求項５に記載の治療組成物。
【請求項７】
前記ガンが膠芽細胞腫である、請求項２〜６のいずれか一項に記載の治療組成物。
【請求項８】
化合物が、ヒトＡｐｏＯ、好ましくは配列番号１に示されているヒトＡｐｏＯである、請求項１〜７のいずれか一項に記載の治療組成物。
【請求項９】
化合物が、ＡｐｏＯフラグメントであり、３０〜１９０、好ましくは５０〜１３０、より好ましくは７０〜１２０アミノ酸の長さを有する、請求項１〜７のいずれか一項に記載の治療組成物。
【請求項１０】
化合物が、ＡｐｏＯフラグメントであり、８〜１９０、好ましくは８〜１００、より好ましくは８〜５０アミノ酸の長さを有する、請求項１〜７のいずれか一項に記載の治療組成物。
【請求項１１】
化合物が、配列番号１０、配列番号１１及び配列番号１２に示されているフラグメントからなる群より選択されるＡｐｏＯフラグメントである、請求項１〜７のいずれか一項に記載の治療組成物。
【請求項１２】
化合物が、配列番号１２に示されているＡｐｏＯフラグメントである、請求項１〜７のいずれか一項に記載の治療組成物。
【請求項１３】
化合物が、ＡｐｏＯフラグメントであり、ネイティブなＡｐｏＯのＮ末端の少なくとも４０アミノ酸を含む、請求項１〜７のいずれか一項に記載の治療組成物。
【請求項１４】
化合物が、ＭＰＴＰと相互作用してＭＰＴＰが開口状態をとるようにし、それにより、ミトコンドリア脱共役を誘導する、請求項１〜１３のいずれか一項に記載の治療組成物。
【請求項１５】
化合物が、ＣｙＰＤ又はＡＮＴと相互作用する、請求項１４に記載の治療組成物。
【請求項１６】
化合物が、ミトコンドリア呼吸を増加させ、脂肪酸代謝を増加させ、前記ガン性細胞内の脂質蓄積を誘導する、請求項１〜１５のいずれか一項に記載の治療組成物。
【請求項１７】
肥満、糖尿病、脂肪肝、膵炎及び甲状腺機能低下症からなる群より選択される病態生理学的状態を処置するための方法において使用するための化合物を含む治療組成物であって、化合物が、ＡｐｏＯ活性又はＡｐｏＯ遺伝子発現のインヒビターである、治療組成物。
【請求項１８】
病態生理学的状態、好ましくは肥満、糖尿病、心筋症、筋障害、脂肪肝、膵炎及び／又は甲状腺機能低下症における脂質過負荷を軽減するための方法において使用するための化合物を含む治療組成物であって、化合物が、ＡｐｏＯ活性又はＡｐｏＯ遺伝子発現のインヒビターである、治療組成物。
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
セントラル処理ユニット（１２０）であって、
セントラルプロセッサ（１２１）と、
前記セントラルプロセッサ（１２１）に接続され、当該処理ユニット（１２０）を特定する処理ＩＤを有するＩＤ回路（１２３）と、
前記セントラルプロセッサ（１２１）に接続され、外部装置処理ユニット（１１０）または外部装置処理サービスセンター（１１０’）と通信する通信回路（１２２）とを備え、
前記セントラル処理ユニット（１２０）は、前記外部装置処理ユニット（１１０）または外部装置処理サービスセンター（１１０’）へ、前記通信回路（１２２）を介して、プロセッサＩＤとサービスリクエストコンテンツとを含む要求を送り、
前記セントラル処理ユニット（１２０）は、前記外部装置処理ユニット（１１０）または外部装置処理サービスセンター（１１０’）から、前記通信回路（１２２）を介して、前記プロセッサＩＤを含む応答を受信する、セントラル処理ユニット。
【請求項２】
前記外部装置処理ユニット（１１０）または外部装置処理サービスセンター（１１０’）が、外部装置ＩＤによって特定され、
前記セントラル処理ユニット（１２０）は、当該外部装置ＩＤを有する前記外部装置処理ユニット（１１０）または外部装置処理サービスセンター（１１０’）から前記応答を受信する、請求項１に記載のセントラル処理ユニット。
【請求項３】
前記セントラル処理ユニット（１２０）からの要求が、パケットに含まれ、
前記パケットは、開始信号と、終了信号と、前記開始信号と終了信号との間に配置された複数のセクションとを含む、請求項２に記載のセントラル処理ユニット。
【請求項４】
前記外部装置処理ユニット（１１０）または外部装置処理サービスセンター（１１０’）から受信される応答が、パケットに含まれ、
前記パケットは、開始信号と、終了信号と、前記開始信号と終了信号との間に配置された複数のセクションとを含む、請求項３に記載のセントラル処理ユニット。
【請求項５】
前記セントラル処理ユニット（１２０）は、一つまたは複数の外部装置を使用することの要求を送出し、
前記セントラル処理ユニット（１２０）は、使用が完了した後に、当該一つまたは複数の外部装置の使用を終了することの要求を送出する、請求項４に記載のセントラル処理ユニット。
【請求項６】
前記外部装置処理ユニット（１１０）または外部装置処理サービスセンター（１１０’）から受信される応答が、当該セントラル処理ユニット（１２０）が利用可能な外部装置を含み、
前記セントラル処理ユニット（１２０）は、前記外部装置処理ユニット（１１０）または外部装置処理サービスセンター（１１０’）へ、前記利用可能な外部装置からのサービスをリクエストするための要求を送出するように構成された、請求項５に記載のセントラル処理ユニット。
【請求項７】
外部装置処理ユニット（１１０）であって、
外部装置プロセッサ（１１１）と、
前記外部装置プロセッサ（１１１）に接続され、当該外部装置プロセッサ（１１１）を特定する外部装置ＩＤを有するＩＤ回路（１０１）と、
前記外部装置プロセッサ（１１１）に接続され、セントラル処理ユニット（１２０）と通信する通信回路（１０２）とを備え、
前記外部装置プロセッサ（１１１）は、前記通信回路（１０２）を介して、前記セントラル処理ユニット（１２０）からの要求を受信し、
前記要求に応答して、前記外部装置処理ユニット（１１０）は、前記外部装置処理ユニット（１１０）を特定するための外部装置ＩＤを含む応答を、前記通信回路（１２２）介して送出する、外部装置処理ユニット。
【請求項８】
前記セントラル処理ユニット（１２０）が、プロセッサＩＤにより特定され、
前記外部装置処理ユニット（１１０）または外部装置処理サービスセンター（１１０’）は、前記プロセッサＩＤを含む応答を、前記セントラル処理ユニット（１２０）へ送出する、請求項７に記載の外部装置処理ユニット。
【請求項９】
前記外部装置処理ユニット（１１０）からの応答がパケットに含まれ、
前記パケットは、開始信号と、終了信号と、前記開始信号と終了信号との間に配置された複数のセクションとを含む、請求項８に記載の外部装置処理ユニット。
【請求項１０】
前記外部装置処理ユニット（１１０）から送出される応答がパケットに含まれ、
前記パケットは、開始信号と、終了信号と、前記開始信号と終了信号との間に配置された複数のセクションとを含む、請求項９に記載の外部装置処理ユニット。
【請求項１１】
前記外部装置処理ユニット（１１０）は、一つまたは複数の外部装置を管理する、請求項１０に記載の外部装置処理ユニット。
【請求項１２】
前記外部装置処理ユニット（１１０）は、前記セントラル処理ユニット（１２０）によって使用中の一つまたは複数の外部装置をロックし、
前記外部装置処理ユニット（１１０）は、前記セントラル処理ユニット（１２０）による使用が完了した後に、前記一つまたは複数の外部装置を解放する、請求項１１に記載の外部装置処理ユニット。
【請求項１３】
前記外部装置処理ユニット（１１０）から送出される応答は、前記セントラル処理ユニット（１２０）が使用可能な外部装置を含み、
前記外部装置処理ユニット（１１０）は、前記セントラル処理ユニット（１２０）へ、当該セントラル処理ユニット（１２０）が使用可能な外部装置を通知する、請求項１２に記載の外部装置処理ユニット。
【請求項１４】
前記外部装置処理ユニット（１１０）から送出される応答は、前記セントラル処理ユニット（１２０）が使用可能な外部装置のグループを含み、
前記外部装置処理ユニット（１１０）は、前記セントラル処理ユニット（１２０）へ、当該セントラル処理ユニット（１２０）が使用可能な外部装置のグループを通知する、請求項１３に記載の外部装置処理ユニット。
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
三機能性抗原結合分子であって、
４つの抗原結合部位を含み、各抗原結合部位は、相互に会合した同一の抗原エピトープ特異性の１つの可変重鎖（ＶＨ）領域および可変軽鎖（ＶＬ）領域を有するＶＨ／ＶＬ対を含み、
前記抗原結合分子は、第１抗原エピトープに対する特異性を有する１つの抗原結合部位、第２抗原エピトープに対する特異性を有する１つの抗原結合部位、および、第３抗原エピトープに対する特異性を有する２つの抗原結合部位を含み、
ここで、第１抗原結合部位のＶＨおよびＶＬ領域は相互に非共有結合しており、前記第１抗原結合部位のＶＨ領域はペプチドリンカーまたはペプチド結合によって前記第１抗原結合部位に並列して位置する第２抗原結合部位の前記ＶＨ領域に結合し、前記第１抗原結合部位のＶＬ領域はペプチドリンカーまたはペプチド結合によって前記第２抗原結合部位のＶＬ領域に結合し、ＶＨ−ＶＨ領域とＶＬ−ＶＬ領域との会合によって四価の抗原結合分子の前記第１および前記第２抗原結合部位を形成する、三機能性抗原結合分子。
【請求項２】
前記抗原結合分子は、免疫エフェクター細胞、腫瘍細胞、および、ウイルスまたは細菌病原体からなる群から選択される標的に対して特異性を有する請求項１に記載の三機能性抗原結合分子。
【請求項３】
前記抗原結合分子は、各ポリペプチドが相互に連結した少なくとも４つの抗体可変領域を有する、第１ポリペプチドおよび第２ポリペプチドを含む抗原結合ポリペプチド二量体であり、
（ａ）前記第１ポリペプチドは、約１２個以下のアミノ酸残基のリンカーによって相互に連結された第１および第２抗体可変領域、ならびに、抗体可変軽鎖領域（ＶＬ）と連結された抗体可変重鎖領域（ＶＨ）を有する一本鎖Ｆｖ抗原結合ユニットを含み、前記抗体可変重鎖領域（ＶＨ）および前記抗体可変軽鎖領域（ＶＬ）は、第１抗原結合部位に会合することができ、前記第１または第２抗体可変領域はペプチドリンカーによって一本鎖Ｆｖ抗原結合ユニットと連結されている、
（ｂ）前記第２ポリペプチドは、約１２個以下のアミノ酸残基のリンカーによって相互に連結された第１および第２抗体可変領域を含み、前記第１および第２抗体可変領域ならびに一本鎖Ｆｖ抗原結合ユニットは抗体可変重鎖領域（ＶＨ）と連結された抗体可変軽鎖領域（ＶＬ）を有し、前記抗体可変軽鎖領域（ＶＬ）および抗体可変重鎖領域（ＶＨ）は第２抗原結合部位へ会合することができ、前記第１または第２抗体可変領域はペプチドリンカーによって前記一本鎖Ｆｖ抗原結合ユニットと連結されている、
（ｃ）前記第１ポリペプチドの前記第１抗体可変領域は、前記第２ポリペプチドの前記第２抗体可変領域と第３抗原結合部位に対して会合する、
（ｄ）前記第１ポリペプチドの前記第２抗体可変領域は、前記第２ポリペプチドの前記第１抗体可変領域と第４抗原結合部位に対して会合する、
（ｅ）前記４つの抗原結合部位のうちの２つは、同一抗原に対して特異的である、請求項１又は２に記載の三機能性抗原結合分子。
【請求項４】
三機能性抗原結合分子であって、前記抗原結合分子は請求項３に記載の抗原結合ポリペプチド二量体であり、
（ａ）前記第１ポリペプチドは、約１２個以下のアミノ酸残基のリンカーによって相互に連結された第１および第２抗体可変重鎖領域（ＶＨ）、ならびに、抗体可変軽鎖領域（ＶＬ）と連結された第３抗体可変重鎖領域（ＶＨ）を有する一本鎖Ｆｖ抗原結合ユニットを含み、前記第３抗体可変重鎖領域（ＶＨ）および抗体可変軽鎖領域（ＶＬ）は、第１抗原結合部位に会合することができ、前記第１または第２抗体可変重鎖領域（ＶＨ）は、ペプチドリンカーによって前記一本鎖Ｆｖ抗原結合ユニットと連結されている、
（ｂ）前記第２ポリペプチドは、約１２個以下のアミノ酸残基のリンカーによって相互に連結された第１および第２抗体可変軽鎖領域（ＶＬ）、ならびに、抗体可変重鎖領域（ＶＨ）と連結された第３抗体可変軽鎖領域（ＶＬ）を有する一本鎖Ｆｖ抗原結合ユニットを含み、前記第３抗体可変軽鎖領域（ＶＬ）および抗体可変重鎖領域（ＶＨ）は、ペプチドリンカーによって前記一本鎖Ｆｖ抗原結合ユニットと連結されている第２抗原結合部位に会合することができ、（ｃ）前記第１ポリペプチドの前記第１抗体可変重鎖領域（ＶＨ）は、前記第２ポリペプチドの前記第２抗体可変軽鎖領域（ＶＬ）と第３抗原結合部位に対して会合する、
（ｄ）前記第１ポリペプチドの前記第２抗体可変重鎖領域（ＶＨ）は、前記第２ポリペプチドの前記第１抗体可変軽鎖領域（ＶＬ）と第４抗原結合部位に対して会合する、
（ｅ）前記４つの抗原結合部位のうちの２つは、同一抗原に対して特異的である、三機能性抗原結合分子。
【請求項５】
前記２つの一本鎖Ｆｖユニットの前記第１および第２抗原結合部位は、前記同一抗原に対して特異的である請求項３または４に記載の三機能性抗原結合分子。
【請求項６】
前記第１および第２ポリペプチド間の会合によって形成された前記第３および第４抗原結合部位は、前記同一抗原に対して特異的である請求項３〜５のいずれか一項に記載の三機能性抗原結合分子。
【請求項７】
前記同一抗原に対して特異的である前記２つの抗原結合部位は、Ｔ細胞またはナチュラルキラー（ＮＫ）細胞上に提示される抗原に対して特異的である請求項１〜６のいずれか一項に記載の三機能性抗原結合分子。
【請求項８】
免疫エフェクター細胞に対する前記特異性は、ＣＤ３、ＣＤ１６およびＣＤ１６Ａからなる群から選択される請求項２に記載の三機能性抗原結合分子。
【請求項９】
前記他の２つの結合部位は、同一細胞上の２つの異なる抗原に対して特異的である請求項７または８に記載の三機能性抗原結合分子。
【請求項１０】
前記細胞は、腫瘍細胞である請求項９に記載の三機能性抗原結合分子。
【請求項１１】
前記２つの異なる抗原は、ＣＤ１９、ＣＤ２０、ＣＤ２６、ＣＤ２９、ＣＤ３０、ＣＤ３３、ＣＤ２００、ＣＤ２６７、ＥＧＦＲ、ＥＧＦＲｖＩＩＩ、ＨＥＲ２、ＨＥＲ３、ＩＧＦＲ、ＩＧＦ−１Ｒ、Ｅｐ−ＣＡＭ、ＰＬＡＰ、トムゼン・フリーデンライヒ（Ｔｈｏｍｓｅｎ−Ｆｒｉｅｄｅｎｒｅｉｃｈ：ＴＦ）抗原、ＭＵＣ−１（ムチン）、ＣＤ５、ＩＬ４−Ｒα、ＩＬ１３−Ｒ、ＦｃεＲＩおよびＩｇＥ、ｇｐＡ３３、ＭＨＣＩ／ペプチド複合体からなる群から選択される、請求項１０に記載の三機能性抗原結合分子。
【請求項１２】
第１抗原結合部位および第２抗原結合部位は、ナチュラルキラー（ＮＫ）細胞上に提示される２つの異なる抗原エピトープに対して特異的である請求項１〜５のいずれか一項に記載の三機能性抗原結合分子。
【請求項１３】
請求項１〜１２のいずれか一項に記載の三機能性抗原結合分子をコードするベクター。
【請求項１４】
請求項１３に記載のベクターによって形質転換された宿主細胞。
【請求項１５】
腫瘍療法において使用するための請求項１０または１１に記載の三機能性抗原結合分子。
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
トランスポザーゼ活性を有し、Ｐｒｏ２１４および／またはＡｌａ３３８の位置に対応する変異を含む配列番号１または配列番号１１を含み、
任意に、配列番号１または配列番号１１におけるＧｌｕ５４および／またはＭｅｔ５６および／またはＬｙｓ２１２および／またはＬｅｕ３７２と機能的に同等な位置で置換変異を含み、
任意に、Ｐｒｏ２１４および／またはＡｌａ３３８の位置で前記変異は置換変異である、変異Ｔｎ５トランスポザーゼ。
【請求項２】
配列番号１または配列番号１１におけるＰｒｏ２１４、Ａｌａ３３８、およびＬｙｓ２１２の位置で変異を含み、
任意に、配列番号１または配列番号１１におけるＧｌｕ５４および／またはＭｅｔ５６および／またはＬｅｕ３７２と機能的に同等な位置で置換変異を含む、請求項１に記載の変異Ｔｎ５トランスポザーゼ。
【請求項３】
位置Ｌｙｓ２１２での前記置換変異はアルギニンへの変異を含む、請求項１または２に記載の変異Ｔｎ５トランスポザーゼ。
【請求項４】
位置Ｐｒｏ２１４での前記置換変異はアルギニンへの変異を含む、請求項１〜３の何れかに記載の変異Ｔｎ５トランスポザーゼ。
【請求項５】
位置Ａｌａ３３８での前記置換変異はバリンへの変異を含む、請求項１〜４の何れかに記載の変異Ｔｎ５トランスポザーゼ。
【請求項６】
前記トランスポザーゼはさらに、Ｇｌｙ２５１での置換変異を含み、
任意に、位置Ｇｌｙ２５１での前記置換変異はアルギニンへの変異を含む、請求項１〜５の何れかに記載の変異Ｔｎ５トランスポザーゼ。
【請求項７】
ポリペプチド融合ドメインに融合した、請求項１〜６の何れかに記載の変異Ｔｎ５トランスポザーゼを含む、融合タンパク質。
【請求項８】
前記ポリペプチド融合ドメインは前記変異Ｔｎ５トランスポザーゼのＮ末端に融合し、
前記ポリペプチド融合ドメインは前記変異Ｔｎ５トランスポザーゼのＣ末端に融合する、請求項７に記載の融合タンパク質。
【請求項９】
前記ポリペプチド融合ドメインは可溶性を高めるタグを含む、または
前記ポリペプチド融合ドメインは、マルトース結合タンパク質（ＭＢＰ）、伸長因子Ｔｓ（Ｔｓｆ）、５−メチルシトシン結合ドメイン、およびタンパク質Ａから選択されるドメインを含む、請求項８に記載の融合タンパク質。
【請求項１０】
請求項１〜９の何れかで定義される変異または融合タンパク質Ｔｎ５トランスポザーゼをコードする、核酸分子。
【請求項１１】
請求項１０に記載の核酸分子を含む、発現ベクター。
【請求項１２】
請求項１１のベクターを含む、宿主細胞。
【請求項１３】
次の構成要素：（ｉ）請求項１〜９の何れか一項に記載の変異または融合タンパク質Ｔｎ５トランスポザーゼを含むトランスポソーム複合体と；（ｉｉ）標的ＤＮＡとが、相互作用することを可能にするステップを含む、ｉｎ ｖｉｔｒｏ転移のための方法。
【請求項１４】
標的ＤＮＡを配列決定するための方法であって、
（ａ）前記標的ＤＮＡをトランスポソーム複合体と共にインキュベーションするステップであって、該トランスポソーム複合体は、
（１）請求項１〜７の何れか一項に記載の変異または融合タンパク質Ｔｎ５トランスポザーゼと；
（２）第１ポリヌクレオチドとを含み、該第１ポリヌクレオチドは、
（ｉ）トランスポゾン端配列を有する３’部分と、
（ｉｉ）第１配列決定タグドメインを有する第１タグとを備え、
該ステップは、前記標的ＤＮＡを断片化し、そして、前記第１ポリヌクレオチドの３’トランスポゾン端配列を前記断片の５’端に移動させる条件下で行われ、
それにより、二本鎖断片が生成され、ここにおいて前記５’端は前記第１タグでタグ付けされ、前記５’タグ付き鎖の３’端には一本鎖ギャップがある、ステップと；
（ｂ）第２タグが前記５’タグ付き鎖の３’端に付着する条件下で、前記断片を核酸修飾酵素と共にインキュベーションするステップと；
（ｃ）ポリメラーゼおよび前記第１ポリヌクレオチドの一部分に対応する増幅プライマーを提供することにより、前記断片を任意に増幅し、それにより、前記５’端に前記第１タグを、前記３’端に第２タグを有する、２つタグ付けされた断片の代表ライブラリを生成するステップと；
（ｄ）前記第１配列決定タグドメインに対応する部分を含む第１配列決定プライマーを提供するステップと；
（ｅ）前記第１配列決定プライマーを伸長し、並行して、２つタグ付けされた断片の前記代表ライブラリの第１配列決定タグドメインに隣接するヌクレオチドの同一性を検出するステップと、を含む方法。
【請求項１５】
（１）請求項１〜９の何れか一項に記載の変異または融合タンパク質Ｔｎ５トランスポザーゼと；
（２）トランスポゾン端配列を有する３’部分を備えるポリヌクレオチドとを備えたトランスポソーム複合体を含む、ｉｎ ｖｉｔｒｏ転移反応を実行するためのキット。
【請求項１６】
次の構成要素：（ｉ）トランスポザーゼ酵素を含むトランスポソーム複合体と；（ｉｉ）標的ＤＮＡと、（ｉｉｉ）Ｍｇ２＋を含むバッファ中の同一酵素と比較して、ＧＣバイアスを縮小するのに十分効果的な濃度でＣｏ２＋を含む反応バッファとが、相互作用することを可能にするステップを含み、
前記トランスポザーゼ酵素は、請求項１〜９の何れか一項に記載の変異または融合タンパク質Ｔｎ５トランスポザーゼを含む、ｉｎ ｖｉｔｒｏ転移のための方法。
【請求項１７】
配列番号２６を含む、請求項７の融合タンパク質。
【請求項１８】
配列番号１９のアミノ酸配列を含む、請求項１の変異Ｔｎ５トランスポザーゼ。
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
Ｖ１〜Ｖ６から選択されるポリペプチド構造の１つと少なくとも８０％の同一性を有し、好ましくはＶ１、Ｖ３またはＶ５から選択されるポリペプチド構造を有するＢＣＭＡ（ＣＤ２６９）特異的キメラ抗原受容体（ＣＡＲ）であって、前記構造が、
（ａ）モノクローナル抗ＢＣＭＡ抗体由来のＶＨおよびＶＬを含む細胞外リガンド結合ドメイン、
（ｂ）ＦｃＲＩＩＩαヒンジ、ＣＤ８αヒンジおよびＩｇＧ１ヒンジから選択されるヒンジ、
（ｃ）ＣＤ８α膜貫通ドメイン、ならびに
（ｄ）ＣＤ３ゼータシグナリングドメインおよび４−１ＢＢ由来の共刺激ドメインを含む細胞質ドメイン
を含む、ＢＣＭＡ（ＣＤ２６９）特異的キメラ抗原受容体（ＣＡＲ）。
【請求項２】
モノクローナル抗ＢＣＭＡ抗体由来のＶＨおよびＶＬを含む細胞外リガンド結合ドメインを含む前記ポリペプチド構造が、以下のＣＤＲ配列：ＤＹＹＩＮ（配列番号：６１）、ＷＩＹＦＡＳＧＮＳＥＹＮＱＫＦＴＧ（配列番号：６２）およびＬＹＤＹＤＷＹＦＤＶ（配列番号：６３）、
ならびにＫＳＳＱＳＬＶＨＳＮＧＮＴＹＬＨ（配列番号：６４）、ＫＶＳＮＲＦＳ（配列番号：６５）およびＡＥＴＳＨＶＰＷＴ（配列番号：６６）またはＳＱＳＳＩＹＰＷＴ（配列番号：６７）、
ＦｃγＲＩＩＩαヒンジ、ＣＤ８αヒンジ、ＩｇＧ１ヒンジから選択されるヒンジ、好ましくはＣＤ８αヒンジまたはＩｇＧ１ヒンジ、ＣＤ８α由来の膜貫通ドメイン、ならびにＣＤ３ゼータシグナリングドメインおよび４−１ＢＢ由来の共刺激ドメインを含む細胞質ドメインを含む、請求項１に記載のＢＣＭＡ（ＣＤ２６９）特異的（ＣＡＲ）。
【請求項３】
モノクローナル抗ＢＣＭＡ抗体由来の前記細胞外リガンド結合ドメインＶＨおよびＶＬが、以下の配列：ＸＸＸＸＸＸＸＸＸＸＸＸＸＸＸＸＸＸＸＸＸＸＸＸＸＸＸＸＸＸＤＹＹＩＮＸＸＸＸＸＸＸＸＸＸＸＸＸＸＷＩＹＦＡＳＧＮＳＥＹＮＱＫＦＴＧＸＸＸＸＸＸＸＸＸＸＸＸＸＸＸＸＸＸＸＸＸＸＸＸＸＸＸＸＸＸＸＸＬＹＤＹＤＷＹＦＤＶＸＸＸＸＸＸＸＸＸＸＸ（配列番号：６８）および／またはＸＸＸＸＸＸＸＸＸＸＸＸＸＸＸＸＸＸＸＸＸＸＸＫＳＳＱＳＬＶＨＳＮＧＮＴＹＬＨＸＸＸＸＸＸＸＸＸＸＸＸＸＸＸＫＶＳＮＲＦＳＸＸＸＸＸＸＸＸＸＸＸＸＸＸＸＸＸＸＸＸＸＸＸＸＸＸＸＸＸＸＸＸＳＱＳＳＩＹＰＷＴＸＸＸＸＸＸＸＸＸＸ（配列番号：６９）
（式中、Ｘは、アミノ酸である）を含む、請求項１〜２のいずれか一項に記載のＢＣＭＡ（ＣＤ２６９）特異的ＣＡＲ。
【請求項４】
前記ＶＨおよびＶＬが、配列番号：１１〜１４から選択されるポリペプチド配列と少なくとも８０％の同一性を有する、請求項１〜３のいずれか一項に記載のＢＣＭＡ（ＣＤ２６９）特異的ＣＡＲ。
【請求項５】
モノクローナル抗ＢＣＭＡ抗体由来のＶＨを含む前記細胞外リガンド結合ドメインが、配列番号：１１および配列番号：１３と少なくとも８０％の同一性を有する配列から選択され、モノクローナル抗ＢＣＭＡ抗体由来の前記ＶＬが、配列番号：１２および配列番号：１４と少なくとも８０％の同一性を有する配列から選択される、請求項１〜４のいずれか一項に記載のＢＣＭＡ（ＣＤ２６９）特異的（ＣＡＲ）。
【請求項６】
モノクローナル抗ＢＣＭＡ抗体由来のＶＨおよびＶＬを含む前記細胞外リガンド結合ドメインがヒト化されている、請求項１〜５のいずれか一項に記載のＢＣＭＡ特異的ＣＡＲ。 
【請求項７】
前記構造Ｖ１が、ＦｃγＲＩＩＩαヒンジおよびＣＤ８α膜貫通ドメインを含む、請求項１〜６のいずれか一項に記載のＢＣＭＡ特異的ＣＡＲ。
【請求項８】
請求項１〜７のいずれか一項に記載のＢＣＭＡ特異的ＣＡＲをコードする、ポリヌクレオチド。
【請求項９】
細胞表面膜において、請求項１〜７のいずれか一項に記載のＢＣＭＡ特異的キメラ抗原受容体を発現する、人工免疫細胞。
【請求項１０】
少なくとも１つのＭＨＣタンパク質の発現が抑制されている、請求項９に記載の人工免疫細胞。
【請求項１１】
少なくとも１つの免疫抑制薬または少なくとも１つの化学療法薬に対して耐性を有するように改変されており、好ましくは、少なくとも１つの免疫抑制薬または化学療法薬に対して耐性を有するように改変されており、自殺遺伝子をさらに含む、請求項９または１０に記載の人工免疫細胞。
【請求項１２】
ＴＣＲ  ＫＯ人工免疫Ｔ細胞である、請求項９〜１１のいずれか一項に記載の人工免疫細胞。
【請求項１３】
少なくとも１つの抗癌または抗炎症性疾患化学療法に対して耐性である、請求項９〜１２に記載の人工免疫細胞。
【請求項１４】
ＢＣＭＡ発現細胞に関係する前悪性または悪性癌症状の処置用の医薬を製造するための、請求項９〜１３のいずれか一項に記載の人工免疫細胞の使用。
【請求項１５】
白血病の処置用の医薬を製造するための、請求項９〜１３のいずれか一項に記載の人工免疫細胞の使用。
【請求項１６】
前記白血病が、急性骨髄性白血病、慢性骨髄性白血病および髄異形成症候群からなる群より選択される、請求項１５に記載の使用。
【請求項１７】
多発性骨髄腫（ＭＭ）の処置用の医薬を製造するための、請求項９〜１３のいずれか一項に記載の人工免疫細胞の使用。
【請求項１８】
免疫細胞を操作する方法であって、
−免疫細胞、場合により、少なくとも１つの抗癌化学療法に対してさらに耐性のＴＣＲ  ＫＯ免疫細胞を提供すること
−前記細胞の表面において、少なくとも１つの請求項１〜７のいずれか一項に記載のＢＣＭＡ特異的キメラ抗原受容体を発現させること
を含む、方法。
【請求項１９】
−免疫細胞、場合により、少なくとも１つの抗癌化学療法に対してさらに耐性のＴＣＲ
ＫＯ免疫細胞を提供すること、
−前記ＢＣＭＡ特異的キメラ抗原受容体をコードする少なくとも１つのポリヌクレオチドを前記細胞に導入すること、
−前記ポリヌクレオチドを前記細胞に発現させること
を含む、請求項１８に記載の免疫細胞操作方法。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
細胞伸長を促進する方法であって、
ヒドロゲル組成物を製造すること、ここで、該ヒドロゲル組成物は、8-アーム,20 kDaのノルボルネンで官能化されたポリエチレングリコール、架橋ペプチド、および細胞接着ペプチドを含み；
細胞をヒドロゲル組成物に接触させること；および
細胞を培養すること；を含む方法。
【請求項２】
細胞が、循環血管新生細胞である、請求項１に記載の方法。
【請求項３】
ヒドロゲル組成物が、CRGDS(配列番号：2)、アセチル化GCYGRGDSPG(配列番号：31)、環状RGD(配列番号：35)、CRGD-(G)13-PHSRN(配列番号：29)、CPHSRN-(SG)5-RGD(配列番号：30)、およびIKVAV(配列番号：38)から選ばれる少なくとも1 mMの細胞接着ペプチドを含む、請求項２に記載の方法。
【請求項４】
ヒドロゲル組成物が、約2 kPa〜約12 kPaのせん断弾性率を有する、請求項２または３に記載の方法。
【請求項５】
細胞が、ヒト間葉系幹細胞である、請求項１に記載の方法。
【請求項６】
ヒドロゲル組成物が、約1.8 kPa〜約33 kPaのせん断弾性率を有する、請求項５に記載の方法。
【請求項７】
ヒドロゲル組成物が、CRGDS(配列番号：2)、アセチル化GCYGRGDSPG(配列番号：31)、環状RGD(配列番号：35)、CRGD-(G)13-PHSRN(配列番号：29)、CPHSRN-(SG)5-RGD(配列番号：30)、およびIKVAV(配列番号：38)から選ばれる少なくとも0.25 mMの細胞接着ペプチドを含む、請求項５または６に記載の方法。
【請求項８】
細胞が、ヒト胚性幹細胞およびヒト誘導多能性幹細胞から選ばれるヒト多能性幹細胞である、請求項５に記載の方法。
【請求項９】
ヒドロゲル組成物が、CRGDS(配列番号：2)、アセチル化GCYGRGDSPG(配列番号：31)、環状RGD(配列番号：35)、CRGD-(G)13-PHSRN(配列番号：29)、CPHSRN-(SG)5-RGD(配列番号：30)、およびIKVAV(配列番号：38)から選ばれる少なくとも0.25 mMの細胞接着ペプチドを含む、請求項８に記載の方法。
【請求項１０】
ヒドロゲル組成物が、約3 kPa〜約16 kPaのせん断弾性率を有する、請求項８または９に記載の方法。
【請求項１１】
ヒドロゲル組成物が、固定化低分子量ヘパリンをさらに含む、請求項８〜１０のいずれかに記載の方法。
【請求項１２】
細胞分化を促進する方法であって、
ヒドロゲル組成物を製造すること、ここで、該ヒドロゲル組成物は、8-アーム,20 kDaのノルボルネンで官能化されたポリエチレングリコール、架橋ペプチド、および細胞接着ペプチドを含み；
細胞をヒドロゲル組成物に接触させること；および
細胞を培養すること；を含む方法。
【請求項１３】
細胞が、ヒト間葉系幹細胞である、請求項１２に記載の方法。
【請求項１４】
ヒドロゲル組成物が、約1.8 kPa〜約33 kPaのせん断弾性率を有する、請求項１３に記載の方法。
【請求項１５】
ヒドロゲル組成物が、CRGDS(配列番号：2)、アセチル化GCYGRGDSPG(配列番号：31)、環状RGD(配列番号：35)、CRGD-(G)13-PHSRN(配列番号：29)、CPHSRN-(SG)5-RGD(配列番号：30)、およびIKVAV(配列番号：38)から選ばれる少なくとも0.25 mMの細胞接着ペプチドを含む、請求項１３または１４に記載の方法。
【請求項１６】
細胞が、ヒト胚性幹細胞およびヒト誘導多能性幹細胞から選ばれるヒト多能性幹細胞である、請求項１２に記載の方法。
【請求項１７】
ヒドロゲル組成物が、CRGDS(配列番号：2)、アセチル化GCYGRGDSPG(配列番号：31)、環状RGD(配列番号：35)、CRGD-(G)13-PHSRN(配列番号：29)、CPHSRN-(SG)5-RGD(配列番号：30)、およびIKVAV(配列番号：38)から選ばれる少なくとも0.25 mMの細胞接着ペプチドを含む、請求項１６に記載の方法。
【請求項１８】
ヒドロゲル組成物が、約3 kPa〜約16 kPaのせん断弾性率を有する、請求項１６または１７に記載の方法。
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
複数の動作モードを有するスイッチドキャパシタ電圧変換器を含む駆動回路と、
パルス幅変調信号のデューティサイクルを変化させることによって、及び前記電圧変換器の動作モードを切り替えることによって、前記駆動回路に供給される入力電圧と前記駆動回路から出力されるべき目標出力電圧との比率を制御するように動作可能なコントローラであって、前記デューティサイクル及び前記電圧変換器の前記動作モードの組み合わせによって引き起こされる望ましくない状態で前記駆動回路が動作していることを決定し、前記望ましくない状態は、閾値効率レベルを下回る効率に対応する、コントローラと、
前記決定に応答して、前記駆動回路の等価出力抵抗を調節する抵抗調節回路とを含む、
システム。
【請求項２】
前記駆動回路は、前記比率に依存した異なる効率で出力電圧を提供し、前記望ましくない状態は、前記効率と前記比率との間の関係の領域に対応する、請求項１に記載のシステム。
【請求項３】
前記抵抗調節回路は、前記電圧変換器のスイッチに出力されるゲート駆動電圧を制御することによって、前記駆動回路の前記等価出力抵抗を調節する、請求項１又は２に記載のシステム。
【請求項４】
前記抵抗調節回路は、前記電圧変換器のスイッチのスイッチング周波数を制御することによって、前記駆動回路の前記等価出力抵抗を調節する、請求項１又は２に記載のシステム。
【請求項５】
前記抵抗調節回路は、前記電圧変換器のスイッチに関連する無駄時間を制御することによって、前記駆動回路の前記等価出力抵抗を調節する、請求項１又は２に記載のシステム。
【請求項６】
前記抵抗調節回路は、エラー信号の受信に基づいて、前記駆動回路の前記等価出力抵抗を調節し、前記エラー信号は、基準電圧とセンス電圧との比較に基づいて生成される、請求項１乃至５の何れか一項に記載のシステム。
【請求項７】
前記コントローラは、前記比率に基づいて、前記駆動回路が望ましくない状態で動作していることを決定する、請求項１乃至６の何れか一項に記載のシステム。
【請求項８】
前記コントローラは、前記パルス幅変調信号のデューティサイクルに基づいて、前記駆動回路が望ましくない状態で動作していることを決定する、請求項１乃至７の何れか一項に記載のシステム。
【請求項９】
前記コントローラは、前記駆動回路に供給される入力電圧に基づいて、前記駆動回路が望ましくない状態で動作していることを決定する、請求項１乃至７の何れか一項に記載のシステム。
【請求項１０】
前記コントローラは、前記駆動回路の効率の決定に基づいて、前記駆動回路が望ましくない状態で動作していることを決定する、請求項１乃至７の何れか一項に記載のシステム。
【請求項１１】
前記コントローラは、制限デューティサイクル範囲内に制限されるように前記パルス幅変調信号の前記デューティサイクルを限定する、請求項１乃至１０の何れか一項に記載のシステム。
【請求項１２】
前記コントローラは、前記駆動回路が望ましくない状態で動作しているとの決定に応答して、前記パルス幅変調信号の前記デューティサイクルを制限デューティサイクル範囲内の一定値に限定する、請求項１乃至１１の何れか一項に記載のシステム。
【請求項１３】
前記電圧変換器は、第１のスイッチセット及び第２のスイッチセットを含むディクソンラダートポロジーに基づきスイッチドキャパシタ変換器によって形成される、請求項１乃至１２の何れか一項に記載のシステム。
【請求項１４】
少なくとも１つの光源と、請求項１乃至１２の何れか一項に記載のシステムとを含む、光モジュールであって、前記駆動回路は、前記少なくとも１つの光源を駆動する出力電圧を提供する、光モジュール。
【請求項１５】
電圧変換器を含む駆動回路と抵抗調節回路とを制御するためのコンピュータプログラムであって、コンピュータ可読媒体上で具現化されたコードであって、プロセッサ上で実行されると、
パルス幅変調信号のデューティサイクルを変化させることによって、及び前記電圧変換器の動作モードを切り替えることによって、前記駆動回路に供給される入力電圧と前記駆動回路から出力されるべき目標出力電圧との比率を制御し、前記デューティサイクル及び前記電圧変換器の動作モードの組み合わせによって引き起こされる望ましくない状態で前記駆動回路が動作していることを決定し、前記決定に応答して、前記駆動回路の等価出力抵抗を調節するために前記パルス幅変調信号を前記抵抗調節回路に供給するための当該コードを含む、コンピュータプログラム。
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
照明コントローラを動作させる出力電圧を供給する電圧調整器と、前記電圧調整器に結合され、且つライン入力から前記電圧調整器に電源電流を供給するパワーＦＥＴと、前記パワーＦＥＴのゲートに結合され、且つ前記照明コントローラのスタートアップモード中にスイッチングモード電源として前記パワーＦＥＴを動作させるゲート駆動回路とを含む、装置。
【請求項２】
前記ゲート駆動回路は、前記照明コントローラのスタートアップ期間中、前記パワーＦＥＴを動作させる、請求項１に記載の装置。
【請求項３】
前記ゲート駆動回路は、前記照明コントローラのスタートアップ期間後に前記パワーＦＥＴをデジタル的にオフにする、請求項２に記載の装置。
【請求項４】
前記パワーＦＥＴは、デプレッションモードパワーＦＥＴであり、且つ電流パワートレインの一部であり、
前記電流パワートレインは、前記デプレッションモードパワーＦＥＴに結合され、且つエンハンストモードパワーＦＥＴを有する第２のパワーＦＥＴと、前記デプレッションモードパワーＦＥＴのソースに結合され、且つ前記エンハンストモードパワーＦＥＴのドレインに結合されたダイオードとを有する、請求項１に記載の装置。
【請求項５】
前記ゲート駆動回路は、前記パワーＦＥＴのゲートに結合されたインバータを含み、前記インバータは、電源電圧及び前記パワーＦＥＴのソースにおける電圧を含む電圧のうちの大きい方の電圧を供給する、請求項１に記載の装置。
【請求項６】
前記パワーＦＥＴのソースに結合された補助出力電圧ノードをモニタリングし、第１閾値電圧にモニタリングされた出力電圧が到達した後に、前記パワーＦＥＴのゲートをグランドに結合するように前記ゲート駆動回路を制御するためのデジタル制御ループを更に有する、請求項１に記載の装置。
【請求項７】
前記デジタル制御ループは更に、第２の閾値電圧にモニタリングされた出力電圧が到達した後に、前記パワーＦＥＴのゲートを前記電源電圧ノードに結合するように前記ゲート駆動回路を制御する、請求項６に記載の装置。
【請求項８】
前記デジタル制御ループは、前記電圧調整器の出力電圧と第１の閾値電圧に対応する基準電圧とを比較する比較器を含む、請求項６に記載の装置。
【請求項９】
前記デジタル制御ループは、前記比較器に結合されたロジック回路を含み、前記ロジック回路は、少なくとも部分的に前記比較器の出力に基づいて前記パワーＦＥＴのゲートに制御信号を出力する、請求項８に記載の装置。
【請求項１０】
前記パワーＦＥＴと前記ライン入力との間に結合される抵抗を更に有する、請求項１に記載の装置。
【請求項１１】
パワーＦＥＴにおいてライン電圧を受け取るステップと、前記パワーＦＥＴによって、前記パワーＦＥＴから電圧調整器に電流供給を提供するステップと、前記電圧調整器によって、前記電流供給から照明コントローラ用の電源電圧を生成するステップと、前記パワーＦＥＴのゲートに結合されたゲート駆動回路によって、前記電流供給を提供するためのスイッチングモード電源として前記パワーＦＥＴを動作させるステップとを含む方法であって、前記パワーＦＥＴを動作させるステップは、前記照明コントローラのスタートアップ段階中に、前記パワーＦＥＴをスイッチングモード電源として動作させることを含む、方法。
【請求項１２】
前記パワーＦＥＴを動作させるステップは、前記照明コントローラのスタートアップ段階後に、前記パワーＦＥＴをデジタル的にオフにすることを含む、請求項１１に記載の方法。
【請求項１３】
デジタル制御ループによって、前記パワーＦＥＴに結合された補助出力ノードにおける電圧をモニタリングするステップと、前記デジタル制御ループによって、モニタリングされた前記電圧が第１の閾値に達する時を決定するステップと、前記モニタリングされた電圧が前記第１の閾値に達した後に前記パワーＦＥＴをデジタル的にオフにするステップとを更に含む、請求項１２に記載の方法。
【請求項１４】
前記デジタル制御ループによって、前記モニタリングされた電圧が第２の閾値に達する時を決定するステップと、前記モニタリングされた電圧が前記第２の閾値に達した後に前記パワーＦＥＴをデジタル的にオンにするステップとを更に含む、請求項１３に記載の方法。
【請求項１５】
前記ゲート駆動回路に結合され、且つ前記照明コントローラの前記スタートアップモード中に前記パワーＦＥＴを制御し、且つ調光器互換性を提供するように前記パワーＦＥＴを制御するロジック回路を更に含む、請求項１に記載の装置。